(57)【要約】【課題】  コンパクトで携帯に便利な箸を提供する。【解決手段】  相互に継足し分離自在な棒部材１と筒部材２とを備える。棒部材１の基端部３に雄ネジ部４が形成されている。筒部材２の先端内周部５に雌ネジ部６が形成されている。使用状態で棒部材１の雄ネジ部４と筒部材２の雌ネジ部６とを螺着して継足した伸長状態とされる。収納状態では棒部材１を筒部材２の孔部７内へ挿入収納してかつ棒部材１と筒部材２とが螺合するように構成されている。【選択図】  図２
0003104639.tif 000002
【実用新案登録請求の範囲】
【請求項１】
相互に継足し分離自在な棒部材（１）と筒部材（２）とを備え、該棒部材（１）の基端部（３）に雄ネジ部（４）を形成し、上記筒部材（２）の先端内周部（５）に雌ネジ部（６）を形成し、使用状態で上記棒部材（１）の雄ネジ部（４）と上記筒部材（２）の雌ネジ部（６）とを螺着して継足した伸長状態とされ、かつ、収納状態では上記棒部材（１）を上記筒部材（２）の孔部（７）内へ挿入収納してかつ棒部材（１）と筒部材（２）とを螺合するように構成したことを特徴とする箸。
【請求項２】
相互に継足し分離自在な棒部材（１）と筒部材（２）とを備え、該棒部材（１）の基端部（３）に雄ネジ部（４）を形成し、上記筒部材（２）の先端内周部（５）に雌ネジ部（６）を形成し、使用状態で上記棒部材（１）の雄ネジ部（４）と上記筒部材（２）の雌ネジ部（６）とを螺着して継足した伸長状態とされ、かつ、収納状態では上記棒部材（１）を上記筒部材（２）の孔部（７）内へ挿入収納してかつ棒部材（１）と筒部材（２）とを螺合するように構成し、さらに、上記棒部材（１）の基端部（３）の雄ネジ部（４）より基端（10）側及び／又は雄ネジ部（４）より先端（８）側に回転トルク付加用窪み部（11）を有することを特徴とする箸。
【請求項３】
相互に継足し分離自在な棒部材（１）と筒部材（２）とを備え、該棒部材（１）の基端部（３）に雄ネジ部（４）を形成し、上記筒部材（２）の先端内周部（５）に雌ネジ部（６）を形成し、使用状態で上記棒部材（１）の雄ネジ部（４）と上記筒部材（２）の雌ネジ部（６）とを螺着して継足した伸長状態とされ、かつ、収納状態では上記棒部材（１）を上記筒部材（２）の孔部（７）内へ挿入収納してかつ棒部材（１）と筒部材（２）とを螺合するように構成し、さらに、上記収納状態に於て、上記棒部材（１）の先端（８）が上記筒部材（２）の孔部（７）内に収納されるとともに、上記棒部材（１）の基端（10）が上記筒部材（２）から回転トルクを付加可能な程度のつかみ代（Ｚ）分だけ突出していることを特徴とする箸。
【請求項４】
相互に継足し分離自在な棒部材（１）と筒部材（２）とを備え、該棒部材（１）の基端部（３）に雄ネジ部（４）を形成し、上記筒部材（２）の先端内周部（５）及び基端内周部（12）に雌ネジ部（６）を形成し、使用状態で上記棒部材（１）の雄ネジ部（４）と上記筒部材（２）の雌ネジ部（６）とを螺着して継足した伸長状態とされ、かつ、収納状態では上記棒部材（１）を上記筒部材（２）の孔部（７）内へ挿入収納してかつ棒部材（１）と筒部材（２）とを螺合するように構成したことを特徴とする箸。
【請求項５】
相互に継足し分離自在な棒部材（１）と筒部材（２）とを備え、該棒部材（１）の基端部（３）に雄ネジ部（４）を形成し、上記筒部材（２）の先端内周部（５）に雌ネジ部（６）を形成し、使用状態で上記棒部材（１）の雄ネジ部（４）と上記筒部材（２）の雌ネジ部（６）とを螺着して継足した伸長状態とされ、かつ、収納状態では上記棒部材（１）を上記筒部材（２）の孔部（７）内へ挿入収納してかつ棒部材（１）と筒部材（２）とを螺合するように構成し、さらに、上記棒部材（１）は使い捨て自在な天然素材から成ることを特徴とする箸。
【考案の詳細な説明】
【技術分野】
【０００１】
本考案は、箸に関する。
【背景技術】
【０００２】
一般に、箸は定尺一体ものである（例えば、特許文献１）。
【０００３】
しかし、使用時に食物に直接触れる部分（先端部分）が、常に剥き出しなので、不衛生的だという欠点があった。また、小さな弁当箱と共に布で包む場合、箸が弁当箱の寸法より大きく、包みにくいという欠点があった。
【特許文献１】特開２００１−２７５８１５
【考案の開示】
【考案が解決しようとする課題】
【０００４】
解決しようとする課題は、不衛生的だという点、及び、収納時の外形寸法が大きい点である。
【課題を解決するための手段】
【０００５】
そこで、本考案に係る箸は、相互に継足し分離自在な棒部材と筒部材とを備え、該棒部材の基端部に雄ネジ部を形成し、上記筒部材の先端内周部に雌ネジ部を形成し、使用状態で上記棒部材の雄ネジ部と上記筒部材の雌ネジ部とを螺着して継足した伸長状態とされ、かつ、収納状態では上記棒部材を上記筒部材の孔部内へ挿入収納してかつ棒部材と筒部材とを螺合するように構成したものである。
また、相互に継足し分離自在な棒部材と筒部材とを備え、該棒部材の基端部に雄ネジ部を形成し、上記筒部材の先端内周部に雌ネジ部を形成し、使用状態で上記棒部材の雄ネジ部と上記筒部材の雌ネジ部とを螺着して継足した伸長状態とされ、かつ、収納状態では上記棒部材を上記筒部材の孔部内へ挿入収納してかつ棒部材と筒部材とを螺合するように構成し、さらに、上記棒部材の基端部の雄ネジ部より基端側及び／又は雄ネジ部より先端側に回転トルク付加用窪み部を有するものである。
【０００６】
また、相互に継足し分離自在な棒部材と筒部材とを備え、該棒部材の基端部に雄ネジ部を形成し、上記筒部材の先端内周部に雌ネジ部を形成し、使用状態で上記棒部材の雄ネジ部と上記筒部材の雌ネジ部とを螺着して継足した伸長状態とされ、かつ、収納状態では上記棒部材を上記筒部材の孔部内へ挿入収納してかつ棒部材と筒部材とを螺合するように構成し、さらに、上記収納状態に於て、上記棒部材の先端が上記筒部材の孔部内に収納されるとともに、上記棒部材の基端が上記筒部材から回転トルクを付加可能な程度のつかみ代分だけ突出しているものである。
また、相互に継足し分離自在な棒部材と筒部材とを備え、該棒部材の基端部に雄ネジ部を形成し、上記筒部材の先端内周部及び基端内周部に雌ネジ部を形成し、使用状態で上記棒部材の雄ネジ部と上記筒部材の雌ネジ部とを螺着して継足した伸長状態とされ、かつ、収納状態では上記棒部材を上記筒部材の孔部内へ挿入収納してかつ棒部材と筒部材とを螺合するように構成したものである。
また、相互に継足し分離自在な棒部材と筒部材とを備え、該棒部材の基端部に雄ネジ部を形成し、上記筒部材の先端内周部に雌ネジ部を形成し、使用状態で上記棒部材の雄ネジ部と上記筒部材の雌ネジ部とを螺着して継足した伸長状態とされ、かつ、収納状態では上記棒部材を上記筒部材の孔部内へ挿入収納してかつ棒部材と筒部材とを螺合するように構成し、さらに、上記棒部材は使い捨て自在な天然素材から成るものである。
【考案の効果】
【０００７】
本考案の箸によれば、衛生的であり、かつ、コンパクトで携帯に便利である。また、螺着して継足すので、不意に外れたり（分離したり）することなく、強固に継足した伸長（使用）状態となる。また、収納状態に於て、不意に分離しない。また、回転トルクを加え易く、迅速に継足したり、分離したりすることができる。
【考案を実施するための最良の形態】
【０００８】
図１〜図７は、本考案の第１の実施の形態を示し、この箸は、相互に継足し分離自在な棒部材１と筒部材２とを備える。棒部材１及び筒部材２は、ＡＢＳ樹脂から成る。棒部材１の基端部３に雄ネジ部４が形成されている。筒部材２の先端内周部５に雌ネジ部６が形成されている。使用状態（図１・図２）で棒部材１の雄ネジ部４と筒部材２の雌ネジ部６とを螺着して継足した伸長状態とされる。収納状態（図３・図４）では棒部材１を筒部材２の孔部７内へ挿入収納してかつ棒部材１と筒部材２とを螺合するように構成されている。
【０００９】
収納状態に於て、棒部材１の先端８が筒部材２の孔部７内に収納されている。言い換えると、棒部材１の先端８は、筒部材２から突出しない。さらに言い換えると、棒部材１の先端８と、筒部材２の基端９との間には、隙間Ｇが存在する。
収納状態に於て、棒部材１の基端10が筒部材２から回転トルクＴを付加可能な程度のつかみ代Ｚ分だけ突出している。
棒部材１の基端部３の雄ネジ部４より基端10側に回転トルク付加用窪み部11を有する。
【００１０】
図８は、第２の実施の形態を示す。筒部材２の先端内周部５及び基端内周部12に雌ネジ部６を有する。
【００１１】
図９は、第３の実施の形態を示す。棒部材１の基端部３の雄ネジ部４より基端10側及び雄ネジ部４より先端８側に回転トルク付加用窪み部11を有する。
【００１２】
なお、本考案は、設計変更可能であって、例えば、棒部材１が使い捨て自在な木材や竹等の天然素材から成るも良い。この場合、同一の筒部材２に対して棒部材１を交換して使用できるので、より衛生的であるとともに、割り箸と比較すると経済的かつ環境に優しいという利点がある。
【００１３】
以上のように、本考案は、相互に継足し分離自在な棒部材１と筒部材２とを備え、棒部材１の基端部３に雄ネジ部４を形成し、筒部材２の先端内周部５に雌ネジ部６を形成し、使用状態で棒部材１の雄ネジ部４と筒部材２の雌ネジ部６とを螺着して継足した伸長状態とされ、かつ、収納状態では棒部材１を筒部材２の孔部７内へ挿入収納してかつ棒部材１と筒部材２とを螺合するように構成したので、使わないときには収納状態とすることができて衛生的である。また、収納状態はコンパクトなので、取扱いが容易であり、携帯に便利である。また、不意に外れたり（分離したり）することなく、強固に継足した伸長（使用）状態となる。また、収納状態に於て、不意に分離しない。
また、相互に継足し分離自在な棒部材１と筒部材２とを備え、棒部材１の基端部３に雄ネジ部４を形成し、筒部材２の先端内周部５に雌ネジ部６を形成し、使用状態で棒部材１の雄ネジ部４と筒部材２の雌ネジ部６とを螺着して継足した伸長状態とされ、かつ、収納状態では棒部材１を筒部材２の孔部７内へ挿入収納してかつ棒部材１と筒部材２とを螺合するように構成し、さらに、棒部材１の基端部３の雄ネジ部４より基端10側及び／又は雄ネジ部４より先端８側に回転トルク付加用窪み部11を有するので、棒部材１に回転トルクを容易に付加することができる。すなわち、棒部材１を筒部材２に容易に着脱することができる。また、不意に外れたり（分離したり）することなく、強固に継足した伸長（使用）状態となる。また、収納状態に於て、不意に分離しない。
【００１４】
また、相互に継足し分離自在な棒部材１と筒部材２とを備え、棒部材１の基端部３に雄ネジ部４を形成し、筒部材２の先端内周部５に雌ネジ部６を形成し、使用状態で棒部材１の雄ネジ部４と筒部材２の雌ネジ部６とを螺着して継足した伸長状態とされ、かつ、収納状態では棒部材１を筒部材２の孔部７内へ挿入収納してかつ棒部材１と筒部材２とを螺合するように構成し、さらに、収納状態に於て、棒部材１の先端８が筒部材２の孔部７内に収納されるとともに、棒部材１の基端10が筒部材２から回転トルクを付加可能な程度のつかみ代Ｚ分だけ突出しているので、食物に触れる部分を確実に収納することができて衛生的に優れるとともに、棒部材１を筒部材２に容易に着脱することができる。また、不意に外れたり（分離したり）することなく、強固に継足した伸長（使用）状態となる。また、収納状態に於て、不意に分離しない。
また、相互に継足し分離自在な棒部材１と筒部材２とを備え、棒部材１の基端部３に雄ネジ部４を形成し、筒部材２の先端内周部５及び基端内周部12に雌ネジ部６を形成し、使用状態で棒部材１の雄ネジ部４と筒部材２の雌ネジ部６とを螺着して継足した伸長状態とされ、かつ、収納状態では棒部材１を筒部材２の孔部７内へ挿入収納してかつ棒部材１と筒部材２とを螺合するように構成したので、ふたつの雌ネジ部６を使用することにより、耐用年数が長くなる。例えば、一方の雌ネジ部６が劣化しても他方の雌ネジ部６を使用することができ、耐用年数が長くなる。また、不意に外れたり（分離したり）することなく、強固に継足した伸長（使用）状態となる。また、収納状態に於て、不意に分離しない。
【００１５】
また、相互に継足し分離自在な棒部材１と筒部材２とを備え、棒部材１の基端部３に雄ネジ部４を形成し、筒部材２の先端内周部５に雌ネジ部６を形成し、使用状態で棒部材１の雄ネジ部４と筒部材２の雌ネジ部６とを螺着して継足した伸長状態とされ、かつ、収納状態では棒部材１を筒部材２の孔部７内へ挿入収納してかつ棒部材１と筒部材２とを螺合するように構成し、さらに、棒部材１は使い捨て自在な天然素材から成るので、同一の筒部材２に対して棒部材１を交換して使用できるので、より衛生的であるとともに、割り箸と比較すると経済的かつ環境に優しいという利点がある。また、不意に外れたり（分離したり）することなく、強固に継足した伸長（使用）状態となる。また、収納状態に於て、不意に分離しない。
【図面の簡単な説明】
【００１６】
【図１】本考案の第１の実施の形態の使用状態を示す斜視図である。
【図２】側面図である。
【図３】収納状態を示す斜視図である。
【図４】側面図である。
【図５】棒部材を示す側面図である。
【図６】平面図である。
【図７】筒部材を示す断面側面図である。
【図８】第２の実施の形態を示す断面側面図である。
【図９】第３の実施の形態を示す側面図である。
【符号の説明】
【００１７】
１  棒部材
２  筒部材
３  基端部
４  雄ネジ部
５  先端内周部
６  雌ネジ部
７  孔部
８  先端
10  基端
11  回転トルク付加用窪み部
12  基端内周部
Ｚ  つかみ代
【図１】
0003104639.tif 000003
【図２】
0003104639.tif 000004
【図３】
0003104639.tif 000005
【図４】
0003104639.tif 000006
【図５】
0003104639.tif 000007
【図６】
0003104639.tif 000008
【図７】
0003104639.tif 000009
【図８】
0003104639.tif 000010
【図９】
0003104639.tif 000011